(57)【要約】【課題】コンテンツの内容が、ホラー映画である場合、心臓に負担を掛けられない高年齢者、心臓病患者、幼児等には、刺激が強く、身体的に悪影響を与えることになり問題である。また、最近のインターネット配信、ＴＶ放送等においても、アダルト系の刺激の強い内容のコンテンツが多数存在し、子供のいる家庭等では、児童育成上の問題、倫理問題として、大きな社会問題になっている。【解決手段】本発明の出力装置１００は、コンテンツを保持しているコンテンツ保持部１０１と、生体に関する情報である生体情報を受け付ける生体情報受付部１０２と、生体情報受付部１０２が受け付けた生体情報が一定の条件を満たすか否かを判断する判断部１０３と、判断部１０３の判断結果に基づいて、コンテンツを出力する出力部１０４を具備することを特徴にしている。【選択図】図１
2005150796.tif 000002
【特許請求の範囲】
【請求項１】
コンテンツを保持しているコンテンツ保持部と、
生体に関する情報である生体情報を受け付ける生体情報受付部と、
前記生体情報受付部が受け付けた生体情報が一定の条件を満たすか否かを判断する判断部と、
前記判断部の判断結果に基づいて、コンテンツを出力する出力部を具備する出力装置。
【請求項２】
２以上のコンテンツを保持しているコンテンツ保持部と、
生体に関する情報である生体情報を受け付ける生体情報受付部と、
前記生体情報受付部が受け付けた生体情報が一定の条件を満たすか否かを判断する判断部と、
前記判断部の判断結果に基づいて、異なるコンテンツを出力する出力部とを有する出力装置。
【請求項３】
コンテンツを受信する受信部と、
生体に関する情報である生体情報を受け付ける生体情報受付部と、
前記生体情報受付部が受け付けた生体情報が一定の条件を満たすか否かを判断する判断部と、
前記判断部の判断結果に基づいて、コンテンツを出力する出力部を具備する出力装置。
【請求項４】
２以上のコンテンツを受信する受信部と、
生体に関する情報である生体情報を受け付ける生体情報受付部と、
前記生体情報受付部が受け付けた生体情報が一定の条件を満たすか否かを判断する判断部と、
前記判断部の判断結果に基づいて、異なるコンテンツを出力する出力部とを有する出力装置。
【請求項５】
前記生体情報は、
心拍数に関する情報である請求項１から請求項４いずれか記載の出力装置。
【請求項６】
前記生体情報は、
血圧に関する情報である請求項１から請求項４いずれか記載の出力装置。
【請求項７】
前記出力部は、前記判断部の判断結果に基づいて、コンテンツの出力を停止する、またはコンテンツの出力を開始する請求項１または請求項３いずれか記載の出力装置。
【請求項８】
前記出力部は、前記判断部の判断結果に基づいて、コンテンツにモザイク処理をして出力する、またはコンテンツに対するモザイク処理を解除してコンテンツを出力する請求項１または請求項３いずれか記載の出力装置。
【請求項９】
コンピュータに、
生体に関する情報である生体情報を受け付ける生体情報受付ステップと、
前記生体情報受付ステップで受け付けた生体情報が一定の条件を満たすか否かを判断する判断ステップと、
前記判断ステップの判断結果に基づいて、保持しているコンテンツを出力する出力ステップを実行させるためのプログラム。
【請求項１０】
コンピュータに、
生体に関する情報である生体情報を受け付ける生体情報受付ステップと、
前記生体情報受付ステップで受け付けた生体情報が一定の条件を満たすか否かを判断する判断ステップと、
前記判断ステップの判断結果に基づいて、保持している異なるコンテンツを出力する出力ステップを実行させるためのプログラム。
【発明の詳細な説明】
【技術分野】
【０００１】
本発明は、例えば、心拍数等の生体情報に基づいて、コンテンツを出力する出力装置等に関する。
【背景技術】
【０００２】
従来から、ＴＶ放送、ケーブルＴＶ放送、衛星放送、ラジオ放送、インターネット配信等のコンテンツの送信においては、画像または／および音声を受信装置に送信し、視聴者は、当該コンテンツを視聴するものであった。（非特許文献１参照）。また、映画の放映においても、画像をスクリーンに放映し、視聴者は、放映される画像をそのまま視聴するものであった。
【非特許文献１】ＷＯＷＯＷホームページ［平成１５年１０月２日検索］インターネット<ＵＲＬ：ｈｔｔｐ：／／ｗｗｗ．ｗｏｗｏｗ．ｃｏ．ｊｐ／>
【発明の開示】
【発明が解決しようとする課題】
【０００３】
しかしながら、従来の受信装置において、例えば、出力するコンテンツの内容が、ホラー映画である場合、心臓に負担をかけられない高年齢者、心臓病患者、幼児等には、刺激が強く、身体的に悪影響を与えることになり問題である。また、最近のインターネット配信、ＴＶ放送等においても、アダルト系の刺激の強い内容のコンテンツが多数存在し、子供のいる家庭等では、児童育成上の問題、倫理問題として、大きな社会問題になっている。本発明は、かかる問題を解決するためになされたものである。本発明の出力装置は、コンテンツの内容が例えば、身体的に刺激が強いものである場合に、例えば、コンテンツの出力方法を変更することを目的にしている。
【課題を解決するための手段】
【０００４】
本発明の出力装置は、コンテンツを保持しているコンテンツ保持部と、生体に関する情報である生体情報を受け付ける生体情報受付部と、生体情報受付部が受け付けた生体情報が一定の条件を満たすか否かを判断する判断部と、判断部の判断結果に基づいて、コンテンツを出力する出力部を具備することを特徴にしている。
【０００５】
この構成により、視聴者の生体情報、例えば、心拍数等を受け付け、心拍数が基準値以上に達する場合に、コンテンツの出力を制限することができる。よって、例えば、コンテンツの内容が、ホラー映画である場合、心臓に負担をかけられない高年齢者、心臓病患者、幼児等に対して、身体的悪影響を与えることなく、コンテンツを視聴させることができる。また、アダルト系の刺激の強い内容のコンテンツが送信される場合に、コンテンツの出力を停止等することができるので、子供のいる家庭等でも、安心してコンテンツを視聴でき、児童育成上の問題、倫理問題等の社会的問題を回避できる。
【０００６】
本発明の出力装置は、２以上のコンテンツを保持しているコンテンツ保持部と、生体に関する情報である生体情報を受け付ける生体情報受付部と、生体情報受付部が受け付けた生体情報が一定の条件を満たすか否かを判断する判断部と、コンテンツ保持部が保持しているコンテンツを出力し、また、判断部の判断結果に基づいて、異なるコンテンツを出力する出力部を具備することを特徴にしている。
【０００７】
この構成により、視聴者の生体情報、例えば、心拍数等を受け付け、心拍数が基準値以上に達する場合に、異なるコンテンツを出力することができる。「異なるコンテンツを出力する」とは、例えば、刺激の強い内容のコンテンツから、例えば、心地良い感じで刺激
を緩和する内容のコンテンツを出力することをいう。よって、かかる出力態様の結果、視聴者の心拍数は正常値に回復し、高齢者、心臓病患者や幼児等の身体に悪影響を及ぼすことを未然に回避できる。
【０００８】
本発明の出力装置において、生体情報は、心拍数に関する情報であることを特徴にしている。また、本発明の出力装置において、生体情報は、血圧に関する情報であることを特徴にしている。
【０００９】
心理的変化に連動して、血圧、心拍数が変化することは、従来から知られている。このことに着目し、当該血圧の情報、心拍数の情報に基づいて、コンテンツを出力すれば、身体に対する悪影響を、高精度で回避できる。
【００１０】
本発明の出力信装置において、出力部は、判断部の判断結果に基づいて、コンテンツの出力を停止する、またはコンテンツの出力を開始することを特徴にしている。よって、コンテンツを視聴できないから、視聴者に対する影響は少なくてすむ。または、視聴者の状態が好転した場合に、コンテンツの出力を再開でき、視聴者は、コンテンツを視聴でき、楽しめる。
【００１１】
本発明の出力装置は、出力部は、判断部の判断結果に基づいて、コンテンツにモザイク処理をして出力する、またはコンテンツに対するモザイク処理を解除してコンテンツを出力することを特徴にしている。よって、視聴者は、刺激的な部分のみにモザイク処理がなされ、その他の刺激的でない部分は、そのまま視聴できる。視聴者に対する影響が少なく、かつ、コンテンツを中断することなく視聴できる。または、モザイク処理が施されたコンテンツに対し、モザイク処理を解除でき、視聴者は、コンテンツの全てを視聴でき、楽しめる。
【発明の効果】
【００１２】
本発明による出力装置等によれば、視聴者の生体情報に基づく、コンテンツの出力が可能である。
【発明を実施するための最良の形態】
【００１３】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１４】
（実施の形態１）
本実施の形態において、出力装置は、受け付けた生体情報に基づいて、コンテンツを出力する。以下に、出力装置の構成およびその動作について説明する。
図１は、本実施の形態における出力装置１００の構成を示すブロック図である。出力装置１００は、コンテンツ保持部１０１、生体情報受付部１０２、判断部１０３、出力部１０４を有する。
【００１５】
コンテンツ保持部１０１は、コンテンツを保持している。また、コンテンツ保持部１０１は、２以上のコンテンツを保持していてもよい。「コンテンツ」とは、画像、音声等の情報の内容である。コンテンツは、例えば、ＴＶの放送の内容、ケーブルＴＶの放送内容、映画の内容、衛星放送の内容、インターネット配信の内容、ＤＶＤが保持している情報の内容、ビデオテープが保持している情報の内容等なんでも良い。なお、「コンテンツ」は、音声のみの内容であっても良く、画像のみの内容であっても良い。「保持している」とは、一時的な保持も含む概念である。コンテンツ保持部１０１は、例えば、不揮発性の記録媒体が好適であるが、揮発性の記録媒体でも良い。なお、コンテンツ保持部１０１は
、図示しない受信手段が受信した、例えば、ＴＶ局が放送したコンテンツ等を保持している。
【００１６】
生体情報受付部１０２は、視聴者の生体に関する情報である生体情報を受け付ける。「生体情報」とは、例えば、心拍数、発汗、体温、眼球の動き、脳波、血圧等の情報である。生体情報は、アナログの情報であっても良く、Ａ／Ｄ変換してデジタル化した情報であっても良い。「受け付け」とは、心拍数、発汗、体温、眼球の動き、脳波、血圧等の情報を取得することである。心拍数の情報を受け付ける場合、生体情報受付部１０２は、例えば、心拍数計測手段等で実現されうる。また、発汗の情報を受け付ける場合、生体情報受付部１０２は、例えば、発汗計測手段等で実現されうる。また、体温の情報を受け付ける場合、生体情報受付部１０２は、例えば、体温計測手段等で実現されうる。また、眼球の動きの情報を受け付ける場合、生体情報受付部１０２は、例えば、眼球動作計測手段等で実現されうる。また、脳波の情報を受け付ける場合、生体情報受付部１０２は、例えば、脳波計測手段等で実現されうる。また、血圧の情報を受け付ける場合、生体情報受付部１０２は、例えば、血圧計測手段等で実現されうる。なお、心拍数計測手段、発汗計測手段、体温計測手段、眼球動作計測手段、脳波計測手段、血圧計測手段等は、従来技術であり、詳細な説明は省略する。また、生体情報を受け付ける手段は、上記の記載の手段等に限定されず、その他の手段等で実現してもよいことはいうまでもない。なお、「視聴者」は、特に限定されない。
【００１７】
判断部１０３は、生体情報受付部１０２が受け付けた生体情報が一定の条件を満たすか否かを判断する。「一定の条件」とは、例えば、心拍数の場合、正常範囲の心拍数（以下、「基準値」という。）から、異常な範囲の心拍数になったこと等である。また、血圧の場合、例えば、短時間に異常な血圧上昇が生じたこと等である。また、眼球の動きの場合、例えば、眼球が異常な動きをしたこと等である。また、体温の場合、例えば、急激な温度変化が生じたこと等である。また、発汗の場合、例えば、急激な発汗が生じたこと等である。また、脳波の場合、例えば、右脳の特定部分にβ波が検出されること等である。「一定の条件」は、上記に記載したことに限定されず、その他の条件であっても良いことはいうまでもない。刺激の程度、興奮の程度、身体的影響等の総合的観点から、「一定の条件」を決定しても良い。判断部１０３は、通常、ＭＰＵやメモリ等から実現され得る。「生体情報が一定の条件を満たすか否かを判断する」ための処理手順は、通常、ソフトウェアで実現され、当該ソフトウェアはＲＯＭ等の記録媒体に記録されている。但し、ハードウェア（専用回路）で実現しても良い。
【００１８】
出力部１０４は、判断部１０３の判断結果に基づいて、コンテンツを出力する。また、出力部１０４は、判断部の判断結果に基づいて、異なるコンテンツを出力しても良い。かかる場合、コンテンツ保持部１０１は、２以上のコンテンツを保持している。また、出力部１０４は、判断部１０３の判断結果に基づいて、コンテンツの出力を停止しても良い。また、出力部１０４は、判断部１０３の判断結果に基づいて、例えば、停止されていたコンテンツの出力を開始しても良い。また、出力部１０４は、判断部１０３の判断結果に基づいて、コンテンツにモザイク処理をして出力しても良い。また、出力部１０４は、判断部１０３の判断結果に基づいて、コンテンツに対するモザイク処理を解除してコンテンツを出力しても良い。「モザイク処理」または「モザイク処理を解除する処理」は、状来技術であり、詳細な説明は省略する。出力部１０４は、例えば、外部装置のモニター、ＰＤＰ、液晶ＤＰ、映画用スクリーン、ホームシアター用スクリーン、ＰＣ、ＰＤＡ、携帯電話等に出力する。出力部１０４は、送信手段とその制御ソフト等を有して実現されうる。また、判断結果に基づいて、コンテンツを出力する場合、出力部１０４は、通常、ＭＰＵやメモリ等から実現され得る。「判断結果に基づいて、コンテンツを出力する」ための処理手順は、通常、ソフトウェアで実現され、当該ソフトウェアはＲＯＭ等の記録媒体に記録されている。但し、ハードウェア（専用回路）で実現しても良い。また、判断結果に基
づいて、異なるコンテンツを出力する場合、出力部１０４は、通常、ＭＰＵやメモリ等から実現され得る。「判断結果に基づいて、異なるコンテンツを出力する」ための処理手順は、通常、ソフトウェアで実現され、当該ソフトウェアはＲＯＭ等の記録媒体に記録されている。但し、ハードウェア（専用回路）で実現しても良い。
以下、本実施の形態における出力装置１００の動作について図２のフローチャートを用いて説明する。
【００１９】
（ステップＳ２０１）出力装置１００の出力指示受付手段（図示せず）は、コンテンツを出力する指示を受け付けたか否かを判断する。出力指示受付手段は、当該出力指示を受け付けた場合、ステップＳ２０２に行き、受け付けない場合、ステップＳ２０１に戻る。出力指示受付手段は、例えば、スイッチ等である。「出力指示」とは、例えば、出力指示受付手段がＯＮ／ＯＦＦスイッチである場合に、当該スイッチをＯＮ状態にすることである。
（ステップＳ２０２）出力部１０４は、コンテンツ保持部１０１からコンテンツを取得する。
【００２０】
（ステップＳ２０３）出力部１０４は、ステップＳ２０２で取得したコンテンツが存在するか否かを判断する。出力部１０４は、コンテンツが存在しない場合、ステップＳ２０４に行き、そうでない場合動作、終了する。
【００２１】
（ステップＳ２０４）出力部１０４は、ステップＳ２０２で取得したコンテンツを出力する。また、出力部１０４は、ステップＳ２０６で実行された結果に基づいて、コンテンツを出力する。例えば、出力部１０４は、コンテンツをモザイク処理して出力する。
【００２２】
（ステップＳ２０５）生体情報受付部１０２は、生体情報を受け付けたか否かを判断する。生体情報受付部１０２は、生体情報を受け付けた場合、ステップＳ２０６に行き、そうでない場合ステップＳ２０２に戻る。
【００２３】
（ステップＳ２０６）判断部１０３は、ステップＳ２０５で受け付けた生体情報が、一定の条件を満たすか否かを判断する。判断部１０３は、一定の条件を満たす場合、ステップＳ２０７に行き、そうでない場合、ステップＳ２０２に戻る。
（ステップＳ２０７）出力部１０４は、ステップＳ２０６で判断された判断結果に基づいて、コンテンツを出力する命令を構成する。ステップＳ２０２に戻る。
（ステップＳ２０８）出力部１０４は、ステップＳ２０７で構成された命令を実行する。ステップＳ２０２に戻る。
【００２４】
以下、本実施の形態における出力装置１００の具体的な動作について説明する。図３は、出力装置１００の概念の例を示す図である。図３において、コンテンツ保持部１０１は、例えば、ＴＶ局、衛星放送局、ケーブルＴＶ局、コンテンツ配信サーバ等から送信されたコンテンツを保持している。かかる場合、出力装置１００は、例えば、ＴＶ放送受信手段、ケーブルＴＶ放送受信手段、衛星放送受信手段、ネットワークカードとそのドライバーソフト等の受信部１０５（図１０参照）を具備する。なお、図１０は、受信部１０５をさらに具備する出力装置１００の構成を示すブロック図の例を示す図である。また、コンテンツ保持部１０１は、例えば、ＤＶＤプレーヤー、ビデオデッキ等から送信されたコンテンツを保持している。なお、出力装置１００は、ＤＶＤプレーヤーまたはビデオデッキ等の機能を有する構成であっても良い。生体情報受付部１０２は、例えば、座椅子、リストバンド等に組み込まれた、血圧計測手段、心拍数計測手段等である。出力部１０４は、コンテンツを例えば、大型ＰＤＰ，ブラウン管モニター、液晶ＤＰ、携帯電話、ＰＤＡ、映画のスクリーン、ホームシアター用のスクリーン、ＰＣ（パソコン）等の表示手段に、出力する。なお、心拍数計測手段は、心拍数の計測可能な体の部位近傍に、例えば、心臓
等に密着させてもよく、衣服等の一部に取り付けられるものでも良い。
【００２５】
以下に、生体情報を受け付ける処理について説明する。なお、コンテンツを受信する等の処理は従来技術であるので詳細な説明は省略する。出力指示受付手段（図示せず）が、コンテンツを出力する指示を受け付けた場合、出力部１０４は、コンテンツ保持部１０１が保持しているコンテンツ（ホラー映画）を、例えば、ホームシアター用スクリーン１０４１に、出力する。図４は、ホームシアター用スクリーンの表示例を示す図である。図４において、ホームシアター用スクリーン１０４１には、ホラー映画の１場面が表示されている。視聴者は、当該ホームシアター用スクリーン１０４１に表示されたホラー映画を鑑賞している。視聴者は、その片腕に、心拍数計測手段が組み込まれたリストバンド１０２１を装着している。
【００２６】
図５は、心拍数計測手段で計測された心拍数の時系列変化の例を示す。図５において、表示される画像の時間変化に対応して、心拍数も変化していることがわかる。例えば、ホラー映画のクライマックスの場面（例えば、人が殺傷される場面）で、心拍数は、最高値を示す。
【００２７】
次に、コンテンツを出力する処理について説明する。判断部１０３は、心拍数が、一定の条件を満たすか否かを判断する。「一定の条件を満たすか否かを判断する」とは、例えば、予め決められた値以上であるか否かを判断すること等である。「予め決められた値」とは、出力装置１００に内蔵の記録媒体に予め記録されている情報であり、例えば、心拍数の情報である。図６は、心拍数の情報の例を示す図である。図６において、心拍数は、「９０」であることを示す。よって、判断部１０３は、心拍数計測手段が計測した心拍数が、「９０」以上であるか否かを判断する。心拍数計測手段が計測した心拍数が、「９０」以上である場合、出力部１０４は、コンテンツの出力を停止する。図７は、コンテンツの出力を停止した場合の出力例を示す図である。なお、停止している期間は、任意である。心拍数が「９０」以下になると、出力部１０４は、コンテンツの出力を再開しても良く、一定期間、例えば、３０秒間コンテンツの出力を停止しても良い。また、図示しない入力手段等から、コンテンツの出力を再開する指示の入力を受け付けた場合に、コンテンツの出力を再開しても良い。なお、心拍数の情報は、「９０」に限定されず、その他の値でも良い。
【００２８】
また、本実施の形態において、心拍数計測手段が計測した心拍数が、「９０」以上である場合、出力部１０４は、出力部１０４は、コンテンツの出力を停止するものだったが、出力部１０４は、コンテンツをモザイク処理して、出力しても良い。図８は、コンテンツをモザイク処理して出力をした場合の出力例を示す図である。モザイク処理してコンテンツを出力する期間は、任意である。心拍数が「９０」以下になると、出力部１０４は、コンテンツの出力を再開しても良く、一定期間、例えば、３０秒間コンテンツの出力を停止しても良い。
【００２９】
また、本実施の形態において、心拍数計測手段が計測した心拍数が、「９０」以上である場合、出力部１０４は、コンテンツの出力を停止するものだったが、出力部１０４は、異なるコンテンツを出力してもよい。かかる場合、コンテンツ保持部１０１は、２以上のコンテンツを保持している。図９は、異なるコンテンツを出力する出力例を示す図である。図９において、コンテンツは、川のせせらぎの画像を表示する。なお、出力される「異なるコンテンツ」は、特に問わないが、身体的興奮状態を緩和する効果が期待できるコンテンツであることが望ましい。
異なるコンテンツを出力する期間は、任意である。心拍数が「９０」以下になると、出力部１０４は、コンテンツの出力を再開しても良く、一定期間、例えば、３０秒間コンテンツの出力を停止しても良い。
【００３０】
また、本実施の形態において、判断部１０３は、心拍数が、一定の条件を満たすか否かを判断するものであったが、判断部１０３は、血圧値が一定の条件を満たすか否かを判断するものでも良い。かかる場合、血圧計測手段が、血圧値を計測する。出力部１０４は、当該判断結果に基づいて、例えば、上記で説明したようにコンテンツを出力する。また、判断部１０３は、複数の生体情報、例えば、心拍数および血圧値が、各々、一定の条件を満たすか否かを判断するものでも良い。かかる場合、心拍数計測手段が心拍数を計測し、また、血圧計測手段が、血圧値を計測する。出力部１０４は、当該判断結果に基づいて、例えば、上記で説明したようにコンテンツを出力する。なお、生体情報は、心拍数または血圧値に限定されず、その他の、例えば、体温、発汗、眼球の動き、脳波等の情報であっても良いことはいうまでもない。
【００３１】
以上、本実施の形態によれば、コンテンツの内容が、ホラー映画である場合、心臓に負担を掛けられない高年齢者、心臓病患者、幼児等に対して、身体的悪影響を与えることなく、コンテンツを視聴させることができる。また、アダルト系の刺激の強い内容のコンテンツが送信される場合に、コンテンツの出力に制限をかけることができるので、子供のいる家庭等でも、安心してコンテンツを視聴でき、児童育成上の問題、倫理問題等の社会的問題を回避できる。
【００３２】
さらに、本実施の形態において説明した出力装置１００の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。なお、本実施の形態における動作をソフトウェアで実現した場合のプログラムは、以下のようになる。コンピュータに、生体に関する情報である生体情報を受け付ける生体情報受付ステップと、生体情報受付ステップで受け付けた生体情報が一定の条件を満たすか否かを判断する判断ステップと、判断ステップの判断結果に基づいて、保持しているコンテンツを出力する出力ステップを実行させるためのプログラムである。
【００３３】
また、コンピュータに、生体に関する情報である生体情報を受け付ける生体情報受付ステップと、生体情報受付ステップで受け付けた生体情報が一定の条件を満たすか否かを判断する判断ステップと、判断ステップの判断結果に基づいて、保持している異なるコンテンツを出力する出力ステップを実行させるためのプログラムである。
【産業上の利用可能性】
【００３４】
以上のように、本発明は、視聴者の生体情報（例えば、心拍数、血圧値等）を受け付けて、当該生体情報に基づいてコンテンツを出力できるから、例えば、心臓に負担を掛けられない高年齢者、心臓病患者、幼児等に対して、身体的悪影響を与えることなく、コンテンツを視聴させることができる等の効果を有し、例えば、コンテンツを送信するＴＶ放送産業、衛星放送産業等に有用である。
【図面の簡単な説明】
【００３５】
【図１】実施の形態１における出力装置の構成を示すブロック図
【図２】実施の形態１における出力装置の動作について示すフローチャート
【図３】実施の形態１における出力装置の外観例を示す図
【図４】実施の形態１におけるコンテンツの出力例を示す図
【図５】実施の形態１における心拍数の時系列変化の例を示す図
【図６】実施の形態１における心拍数の情報の例を示す図
【図７】実施の形態１におけるコンテンツの出力を停止している状態の例を示す図
【図８】実施の形態１におけるコンテンツをモザイク処理して出力する出力例を示す図
【図９】実施の形態１における異なるコンテンツを出力する出力例を示す図
【図１０】実施の形態１における出力装置の構成を示すブロック図
【符号の説明】
【００３６】
１００  出力装置
１０１  コンテンツ保持部
１０２  生体情報受付部
１０３  判断部
１０４  出力部
１０２１  リストバンド
１０４１  ホームシアター用スクリーン
１０５  受信部
【図１】
2005150796.tif 000003
【図２】
2005150796.tif 000004
【図３】
2005150796.tif 000005
【図４】
2005150796.tif 000006
【図５】
2005150796.tif 000007
【図６】
2005150796.tif 000008
【図７】
2005150796.tif 000009
【図８】
2005150796.tif 000010
【図９】
2005150796.tif 000011
【図１０】
2005150796.tif 000012